(57)【特許請求の範囲】
【請求項１】
プリペイドカードのように初期状態で金銭的価値を有し、使用するごとにその価値が減額されていくような方式で使用される情報記録媒体であって、真偽判定情報を有した支持体上に、発色していない状態では該真偽判定情報を光学的に隠蔽しない感熱記録層を設け、かつ支持体の該感熱記録層とは反対の面に磁気記録可能な磁気記録層を設けたことを特徴とする情報記録媒体。
【請求項２】
真偽判定情報が、蛍光性染顔料を染着または含浸した天然あるいは合成パルプがランダムに散在するランダムパターンであることを特徴とする請求項１記載の情報記録媒体。
【請求項３】
真偽判定情報を用いて前記請求項１記載の情報記録媒体の真偽を判定する場合に必要な参照情報が、磁気記録層にあらかじめ記録されていることを特徴とする請求項１記載の情報記録媒体。
【発明の詳細な説明】
【０００１】
【発明の属する技術分野】
本発明はプリペイドカードのように初期状態で金銭的価値を有し、使用するごとに価値が減額されていくような方式で使用される情報記録媒体に関するものである。
【０００２】
【従来の技術】
近年プリペイドカードを含めた各種カード類が著しく普及し、それに伴う種々の偽造や改ざん等の不正使用が問題となっており、それに対応した常に新しい不正防止技術が求められている。そのような偽造対策を講じた場合、情報記録媒体は、本来必要な金額や有効期限等の価値そのものに関した「価値情報」の他に、これら情報記録媒体の不正使用を防止する目的で使用される情報を保持する必要がある。以後この情報を「真偽判定情報」と定義する。さらにこの「真偽判定情報」の内、その情報記録媒体が正規のものであることを判断するため、恒久的にその情報記録媒体中に保持されている場合、これを「参照情報」と定義し、また情報記録媒体が使用される毎に生成され、これを該「参照情報」と照らし合わせて、その時点で情報記録媒体が偽造あるいは変造さていないかを判定するために使用される情報を「鍵情報」と定義する。あるいは、上記「参照情報」が、ほぼ全ての情報記録媒体毎に別々の物であるときには、これらを「個別情報」と呼ぶことも出来る。さらに、これら情報記録媒体は、顧客へのサービスや販売促進の目的のために、宣伝情報や占い等の企画の為の情報を保持していてもかまわないが、以後この情報を「付属情報」と定義する。
【０００３】
従来よりプリペイドカード等の情報記録媒体の偽造や改ざんを防止するための種々の方法が提案されているが、これらの内、情報記録媒体の「価値情報」を直接保護する為の方法として、支持体上に設けられた磁気記録層に情報を記録する際に、記録密度や信号の符号化方式を変更し、一般の装置では読み書き出来ないようにする方法や、磁気記録層の上に磁気シールド層を設ける方法等がある。これらの方法は主に情報記録媒体の保持する「価値情報」が不正に読みとられたり書き換えられるのを防ぐことを目的にしている。
【０００４】
一方、情報記録媒体の偽造防止としては、その情報記録媒体が正規のものであるかを判定するための「真偽判定情報」を情報記録媒体に与えるということも考えられる。これらの方法の内、視覚を利用した方法として、光の干渉を利用して、光を当てると立体像が浮かび上がるホログラムを利用した方法、蛍光インキを使って目に見えないようにパターン印刷し、紫外線を当てると蛍光を発し、パターンが目視で確認できるような隠し文字印刷を施す方法等がある。さらに特開昭５９−３８０９９号公報、特開昭６１−２９７１９２号公報、特開昭６４−８７３９５号公報等には、可視光領域以外の波長の光に対する吸光係数、および反射率の違いを利用して、不可視の情報を形成する方法に付いて述べられている。また、特開昭５９−４４０８２号公報、特開平２−６１９３号公報 、特開平３−２３１３９４号公報には、サーモクロミック材料による偽造防止用情報を利用する方法が示されている。
【０００５】
あるいは、磁気的な方法を利用して「真偽判定情報」を設けることが考えられている。これらの内、特開昭６２−３３３２３号公報や特開平３−１３０１９７号公報に示された方法は、高保磁力層と低保磁力層を積層した情報記録媒体に、しかるべき手段で「真偽判定情報」を設けるものである。しかしながらこれらの方法によって与えられる「真偽判定情報」は、基本的には磁気記録装置によって記録されたものであり、磁性層の記録パターンを除けば全ての情報記録媒体は形態的に同じ構造をしている。このため、磁気記録の方法さえ分かれば、元々は別の情報を保持した情報記録媒体に対して情報の書き替えを施すことによって、何枚でも同じ情報記録媒体を形成することができ、いわゆる「変造」と言われる不正使用に対しては十分なセキュリィティーがあるとは言い難い。
【０００６】
これに対して、磁気バーコード等を設けて情報記録媒体に固有の情報を与えるといった方法も報告されている。例えば、特開平１−２６９２２７号公報、特開平２−９８４９８号公報、特開平３−２５２９０１号公報には、磁性層中のしかるべき位置に保磁力の違う部位が存在し、それらのパターンを利用した偽造防止用情報が示されている。これらによる方法では、それぞれの情報記録媒体が形態的に違った構造を持っているので、単に情報の書換えといった方法だけで「変造」することが困難になっている。しかしながらこれらの方法では、情報記録媒体上に形成される「真偽判定情報」は、製造上の煩雑さから特定の限られたパターンに制約されてしまうといった問題点を含んでいる。つまりこれらの方法の持つ問題は、複数の情報記録媒体が同一の「真偽判定情報」を持つ確率が高くなってしまうことであって、情報記録媒体の「個別情報」としての「真偽判定情報」の効果が十分発揮でない点にある。
【０００７】
【発明が解決しようとする課題】
これら情報記録媒体のセキュリティーを向上させる手段をその方式の技術的な側面に注目すると、上述のように多種多様な方法が提案されているが、ここではセキュリティー技術のあるべき姿をそれらが解決しなければならない事例毎に整理することによって、本発明が解決しようとしている課題を明確にしていきたい。
【０００８】
大きく分けて、セキュリティー技術が解決しなくてはならない課題は２つであって、それらは「偽造」及び「変造」である。ここでは、「偽造」とは偽札のごとく正規の情報記録媒体にそっくりな「偽物」を別に製造することを意味し、「変造」とは、プリペイドカード等のような情報記録媒体自身あるいは一部は正規の物であるが、その情報記録媒体が保持している「価値情報」を不正に変更することを意味する。
【０００９】
「偽造」対策としては、そっくりの「偽物」をいかに作りにくくするかと言うことが課題であり、言い替えれば「真偽判定情報」としての「参照情報」が複製困難なことが必要で、紙幣などでごく微細な印刷や特殊インキによる印刷が施されているのがその例であって、上述の中ではホログラムを使用した物がそれに当たる。さらに、その「真偽判定情報」が全ての情報記録媒体で同一であるより、全てにおいて異なっている方が「偽造」困難であり、特開平３−２４４５９８号公報に示されているような軟磁性体によるランダムパターン等は、その点に着目した手段である。
【００１０】
一方、テレホンカードのごときプリペイドカードにおいて非常に問題になるのは「変造」であって、この場合いくら精巧な「真偽判定情報」であっても、情報記録媒体の「価値情報」が書き換え可能である場合、データの書き込み装置さえあればいとも容易く行うことが出来る。上述の例では、その対策として「価値情報」が磁気記録されている場合、その情報が読み書き困難な用に磁性体の保磁力を高くしたり、シールド層を設けた物が示されている。しかしながら、原理的に磁気記録方式は情報の書き換えが可能なために、「変造」に対して非常に高いセキュリティーを実現する事は難しい。このため、プリペイドカードのように初期状態で金銭的価値を有し、使用するごとに価値が減額されていくような方式で使用される情報記録媒体では、残高を示すパンチ穴を設けることによって、書き換え困難な「価値情報」を付加したような方式も存在するが、実際はそれらパンチ穴を何らかの方法で埋めてしまえば「変造」可能な場合があり、十分な方法とは言えなかった。
【００１１】
以上を鑑みると、「偽造」と「変造」の両方に対して十分なセキュリティーを確保する為の方法論として次のような事項が挙げられるが、同時にそれらは本発明の解決すべき課題となる。
（１）「偽造」防止の為には、複製困難な「真偽判定情報」が必要であり、それらが情報記録媒体一つ一つに別々の「個別情報」であればさらに「偽造」は困難である。
（２）「価値情報」を記録する手段は、書き換え可能な方式であるより、書き換え不可能な方式の方が、「変造」に対して効果的である。
（３）情報記録媒体が担っている「価値情報」の変化の履歴を情報記録媒体に記録する場合、それらの情報が「真偽判定情報」と関係づけられて判定された場合、「変造」に対するセキュリティーはいっそう高くなる。
【００１２】
【課題を解決するための手段】
すなわち、本発明の情報記録媒体は、プリペイドカードのように初期状態で金銭的価値を有し、使用するごとにその価値が減額されていくような方式で使用される情報記録媒体であって、「真偽判定情報」を有した支持体上に、発色していない状態では該「真偽判定情報」を光学的に隠蔽しない感熱記録層を設け、かつ支持体の該感熱記録層の設けられていない側に磁気記録可能な磁気記録層を設けたことを特徴とする情報記録媒体である。更に、該「真偽判定情報」は、蛍光性染顔料を染着または含浸した天然あるいは合成パルプがランダムに散在するランダムパターンであり、該「真偽判定情報」を用いて該情報記録媒体の真偽を判定する場合に必要な「参照情報」が、磁気記録層にあらかじめ記録されていることを特徴とする情報記録媒体である。
【００１３】
更に、情報記録媒体への情報記録方法は、情報記録媒体の保持する価値が減少する度に、「真偽判定情報」が読みとられる領域内に、感熱記録層の印字部が増加していくように印字されることを特徴とする。
【００１４】
また情報の読み取り方法としては、情報記録媒体の保持する価値がゼロになってしまうまでに、少なくとも１回以上の複数回に分けて使用される場合のそれぞれの時点で、感熱記録層の印字パターンより情報記録媒体が保持している価値を判定し、さらに感熱記録層の発色部以外の部分から読みとった「真偽判定情報」の領域が妥当でかつ正規のものであることを、磁気記録層に記録された「参照情報」を用いて判定することを特徴とする情報記読み取り方法である。
【００１５】
【発明の実施の形態】
本発明の情報記録媒体が保持する「真偽判定情報」は、蛍光繊維を染着または含浸した天然あるいは合成パルプ（以下、蛍光繊維という）によるランダムパターンによって生成される。このような、ランダムパターンを設ける手段はすでに知られており、たとえば特開平６−８６７８に記載されている。このようなランダムパターンは、同一の物を複製する事がきわめて困難で、かつ全ての情報記録媒体が全て別々のパターンを持つ「個別情報」で、「発明が解決しようとする課題」で述べた条件（１）を満たしている。さらに、蛍光によるパターンは、ブラックランプ等の特別な器具がなければ読むことが出来ず、セキュリティーは非常に高い。
【００１６】
本発明の情報記録媒体が保持する「価値情報」は、「個別情報」を保持した支持体上に設けられた感熱記録層に記録されるが、この発色部は素材の選択によっては書き換え不可能であり、「発明が解決しようとする課題」の条件（２）を満たしている。
【００１７】
本発明の情報記録媒体は「個別情報」としての蛍光繊維のランダムパターンに関する情報を、「参照情報」として磁気記録層に保持しており、該情報記録媒体が使用されるたびに、この「参照情報」が該情報記録媒体の蛍光繊維のランダムパターンによって生成される「鍵情報」と照合するかを確認することが出来る。さらに重要なことは、該情報記録媒体の「価値情報」を記録する感熱記録層の記録方法である。該情報記録媒体は、プリペイドカードのように初期状態で金銭的価値を有し、使用するごとに価値が減額されていくような方式で使用される情報記録媒体であるが、この初期状態では感熱記録層の全てが発色状態ではなく、全てあるいは一部が未発色の状態となっている。次に、該情報記録媒体を使用してその価値が減額される度に、使用度数に応じて感熱記録層に印字を行うと、未発色の部分が減少していき、同時に下方の蛍光パターンが読みとれる領域も減少していく。従って該情報記録媒体を使用する度に、書き換え不可能な感熱記録層の印字部より「価値情報」を読みとると同時に、発色していない感熱記録層の領域より読みとった蛍光パターンより「鍵情報」を生成し、それが正規の「個別情報」の一部より生成された物であることを磁気記録層の「参照情報」と照合することによって判断し、その時点における情報記録媒体によって保持されている「価値情報」が、正規の情報記録媒体を正規の方法で使用した結果の物であるかどうかを判断することが可能である。このことは、まさに情報記録媒体が担っている「価値情報」の変化の履歴が「真偽判定情報」と関係づけられて判定されることに他ならず、「発明が解決しようとする課題」の条件（３）に対応する。
【００１８】
以上が、「発明が解決しようとする課題」を解決するための具体的方法論であるが、次に本発明の構成要素について具体的に述べる。
【００１９】
本発明に使用される「個別情報」を有した支持体は、特開平６−８６７８に示されたような方法で得ることが出来、具体的には紙、不織布、プラスチックフィルム、合成紙、金属箔中に、蛍光性染顔料を染着または含浸した天然あるいは合成パルプをランダムに内添することによって得られる。蛍光性染顔料を染着または含浸した天然あるいは合成パルプを内添する方法としては、該パルプを支持体となるパルプとともに混抄する方法等が挙げられる。
【００２０】
本発明に用いられる蛍光染料としては、ジアミノスチルベンジスルホン酸誘導体、イミダゾール誘導体、クマリン誘導体、トリアゾール誘導体、ナフタル酸誘導体、カルバゾール誘導体、ピリジン誘導体、イミダゾロン誘導体等が用いることが出来、また蛍光顔料としては、ＣａＳ：Ｂｉ、ＳｒＳ：Ｓｍ：Ｃｅ、ＺｎＳ：Ａｇ、ＺｎＳ：Ｃｕ、ＺｎＳ：Ｃｕ：Ｃｏからなる硫化物系、Ｓｒ5（ＰＯ4）3Ｃｌ：Ｅｕ，３（Ｂａ，Ｍｇ）・８Ａｌ2Ｏ3：Ｅｕ，ＺｎＯ：Ｚｎ，Ｚｎ2ＳｉＯ4：Ｍｎ，Ｚｎ2ＧｅＯ4：Ｍｎ，ＹＶＯ4：Ｅｕ,Ｙ2Ｏ2Ｓ：Ｅｕ，０．５ＭｇＦ2・３．５ＭｇＯ・ＧｅＯ2：Ｍｎからなる酸素酸塩系の物などが用いられるが、本発明はこれらに限定されるものではない。
【００２１】
本発明の情報記録媒体の磁気記録層に用いられる磁性体としては、公知の磁気記録材料に使用されている磁性体を使用することが出来る。例えば、磁気記録層に用いることが出来る磁性体としては、γ−Ｆｅ2Ｏ3、Ｆｅ3Ｏ4、Ｃｏ含有酸化鉄、ＣｒＯ2、メタル粉、Ｂａフェライト等が挙げられる。
【００２２】
磁性層に使用される樹脂としては、ウレタン・アクリル共重合体等のポリウレタン樹脂、エポキシ樹脂、フェノール樹脂、フェノキシ樹脂、メラミン樹脂、尿素樹脂、フルフラール樹脂、不飽和ポリエステル樹脂、アルキド樹脂、シリコン樹脂、キシレン樹脂、トルエン樹脂、アクリル酸エステル・塩化ビニリデン共重合体、メタクリル酸エステル・塩化ビニリデン共重合体、メタクリル酸エステル・スチレン共重合体、メチルメタクリレート・ブタジエン共重合体、マレイン酸変成アクリル樹脂、等のアクリル樹脂、スチレン・ブタジエン共重合体、スチレン・ブタジエン共重合体、スチレン・ブタジエン・メチルメタクリレート共重合体、スチレン・マレイン酸共重合体、スチレン・アクリル共重合体、スチレン・ブタジエン・メチルメタクリレート共重合体、等のスチレン樹脂、フッ素樹脂、ポリアミド樹脂、ポリエーテル樹脂、ポリエステル樹脂、ポリオレフィン樹脂、ポリカーボネート樹脂、ポリビニルアセタール樹脂、ポリビニルエーテル樹脂、ポリビニルブチラール樹脂、塩化ビニリデン・アクリロニトリル共重合体等の塩化ビニリデン樹脂、塩化ビニル・酢酸ビニル共重合体、塩化ビニル・酢酸ビニル・マレイン酸共重合体、塩化ビニル・塩化ビニリデン共重合体、塩化ビニル・酢酸ビニル・ビニルアルコール酸共重合体、塩化ビニル・アクリロニトリル共重合体、部分ケン化塩化ビニル・酢酸ビニル共重合樹脂等の塩化ビニル樹脂、酢酸ビニル、メラミン・ホルムアルデヒド共重合樹脂、ポリフッ化ビニル樹脂、ブタジエン・アクリロニトリル共重合体、尿素・ホルムアルデヒド樹脂、酢酸セルロース樹脂、二酢酸セルロース樹脂、三酢酸セルロース樹脂、酢酸プロピオン酸セルロース樹脂、メチルセルロース樹脂、ヒドロキシメチルセルロース樹脂、ヒドロキシエチルセルロース樹脂、カルボキシメチルセルロース樹脂、ポリビニルアルコール樹脂等、公知の樹脂を使用することが可能であるが、本発明はそれらに何ら限定されるものではない。
【００２３】
また上記樹脂に対し、必要に応じてイソシアネート、フェノール、アミン、アルコール、脂肪酸、芳香族酸、等の硬化剤を併用することが出来る。
【００２４】
磁性粒子の分散に対しては、使用される樹脂そのものが分散剤としての役割を果たす場合があるが、必要に応じて分散剤として別途、脂肪酸、脂肪族アミン類、脂肪酸金属塩、リン酸エステル、ポリエステル系オリゴマー、モノカルボン酸のアンモニウム塩、チタンカップリング剤、シランカップリング剤、レシチン、動物性及び植物性蛋白質、ポリカルボン酸およびその塩、ピロリン酸ソーダ、ヘキサメタリン酸ソーダ、カゼイン、リグニンスルホン酸ソーダ、ジポリオキシエチレンアルキルエーテルリン酸、トリポリオキシエチレンアルキルエーテルリン酸、ポリエステル・ポリアミン、ポリオキシエチレンステアリルアミン、ポリオキシエチレンオレイルアミン、ポリオキシエチレンラウリルエーテル、ポリオキシエチレンセチルエーテル、ポリオキシエチレンセテリルエーテル等公知の化合物を使用することが出来るが、本発明はそれらに何ら限定されるものではない。
【００２５】
また、必要に応じて潤滑剤、研磨剤、レベリング剤、消泡剤、増粘剤、酸化防止剤、紫外線吸収剤、帯電防止剤、防腐剤、填料等の添加剤を適宜使用することが出来る。
【００２６】
本発明の情報記録媒体の感熱記録層は、一般の感熱記録紙およびプリペイドカード等の表示部に使用されている電子受容性化合物及び、該電子受容性化合物との反応により発色する電子供与性化合物より構成される感熱記録層を使用することが出来る。さらに詳細にこの感熱記録層の構成要素に付いて述べる。
【００２７】
本発明の情報記録媒体の感熱記録層の電子受容性化合物としては、フェノール誘導体、芳香族カルボン酸誘導体、Ｎ，Ｎ′−ジアリールチオ尿素誘導体、有機化合物の亜鉛塩などの多価金属塩を用いることができる。また、特に好ましいものはフェノール誘導体で、具体的には、ｐ−フェニルフェノール、ｐ−ヒドロキシアセトフェノン、４−ヒドロキシ−４′−メチルジフェニルスルホン、４−ヒドロキシ−４′−イソプロポキシジフェニルスルホン、４−ヒドロキシ−４′−ベンゼンスルホニルオキシジフェニルスルホン、１，１−ビス（ｐ−ヒドロキシフェニル）プロパン、１，１−ビス（ｐ−ヒドロキシフェニル）ペンタン、１，１−ビス（ｐ−ヒドロキシフェニル）ヘキサン、１，１−ビス（ｐ−ヒドロキシフェニル）シクロヘキサン、２，２−ビス（ｐ−ヒドロキシフェニル）プロパン、２，２−ビス（ｐ−ヒドロキシフェニル）ヘキサン、１，１−ビス（ｐ−ヒドロキシフェニル）−２−エチルヘキサン、２，２−ビス（３−クロロ−４−ヒドロキシフェニル）プロパン、１，１−ビス（ｐ−ヒドロキシフェニル）−１−フェニルエタン、１，３−ジ−〔２−（ｐ−ヒドロキシフェニル）−２−プロピル〕ベンゼン、１，３−ジ−〔２−（３，４−ジヒドロキシフェニル）−２−プロピル〕ベンゼン、１，４−ジ−〔２−（ｐ−ヒドロキシフェニル）−２−プロピル〕ベンゼン、４，４′−ジヒドロキシジフェニルエーテル、２，４′−ジヒドロキシフェニルスルホン、４，４′−ジヒドロキシジフェニルスルホン、３，３′−ジクロロ−４，４′−ジヒドロキシジフェニルスルホン、３，３′−ジアリル−４，４′−ジヒドロキシジフェニルスルホン、３，３′−ジクロロ−４，４′−ジヒドロキシジフェニルスルフィド、２，２−ビス（４−ヒドロキシフェニル）酢酸メチル、２，２−ビス（４−ヒドロキシフェニル）酢酸ブチル、４，４′−チオビス（２−ｔ−ブチル−５−メチルフェノール）、２，２′−ビス（４−ヒドロキシフェニルチオ）ジエチルエーテル、１，７−ジ（４−ヒドロキシフェニルチオ）−３，５−ジオキサヘプタン、ｐ−ヒドロキシ安息香酸ベンジル、ｐ−ヒドロキシ安息香酸クロロベンジル、４−ヒドロキシフタル酸ジメチル、没食子酸ベンジル、没食子酸ステアリル、サリチルアニリド、５−クロロサリチルアニリド、サリチル酸亜鉛誘導体あるいはその金属塩等がある。
【００２８】
該電子受容性化合物との反応により発色する電子供与性化合物としては、一般に感圧記録紙や感熱記録紙に用いられているものに代表されるが特に制限されない。具体的な例を挙げれば
【００２９】
（１）トリアリールメタン系化合物
３，３−ビス（ｐ−ジメチルアミノフェニル）−６−ジメチルアミノフタリド（クリスタルバイオレットラクトン）、３，３−ビス（ｐ−ジメチルアミノフェニル）フタリド、３−（ｐ−ジメチルアミノフェニル）−３−（１，２−ジメチルインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３，３−ビス（９−エチルカルバゾール−３−イル）−５−ジメチルアミノフタリド、３，３−ビス（２−フェニルインドール−３−イル）−５−ジメチルアミノフタリド、３−ｐ−ジメチルアミノフェニル−３−（１−メチルピロール−２−イル）−６−ジメチルアミノフタリド等、
【００３０】
（２）ジフェニルメタン系化合物
４，４′−ビス（ジメチルアミノフェニル）ベンズヒドリルベンジルエーテル、Ｎ−クロロフェニルロイコオーラミン、Ｎ−２，４，５−トリクロロフェニルロイコオーラミン等、
【００３１】
（３）キサンテン系化合物
ローダミンＢアニリノラクタム、ローダミンＢ−ｐ−クロロアニリノラクタム、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−クロロフルオラン、３−ジエチルアミノ−６−クロロ−７−メチルフルオラン、３−ジエチルアミノ−７−（３，４−ジクロロアニリノ）フルオラン、３−ジエチルアミノ−７−（２−クロロアニリノ）フルオラン、３−ジエチルアミノ−６−メチル−７−アニリノフルオラン、３−（Ｎ−エチル−Ｎ−トリル）アミノ−６−メチル−７−アニリノフルオラン、３−ピペリジノ−６−メチル−７−アニリノフルオラン、３−（Ｎ−エチル−Ｎ−トリル）アミノ−６−メチル−７−フェネチルフルオラン、３−ジエチルアミノ−７−（４−ニトロアニリノ）フルオラン、３−ジブチルアミノ−６−メチル−７−アニリノフルオラン、３−（Ｎ−メチル−Ｎ−プロピル）アミノ−６−メチル−７−アニリノフルオラン、３−（Ｎ−エチル−Ｎ−イソアミル）アミノ−６−メチル−７−アニリノフルオラン、３−（Ｎ−メチル−Ｎ−シクロヘキシル）アミノ−６−メチル−７−アニリノフルオラン、３−（Ｎ−エチル−Ｎ−テトラヒドロフリル）アミノ−６−メチル−７−アニリノフルオラン等、
【００３２】
（４）チアジン系化合物
ベンゾイルロイコメチレンブルー、ｐ−ニトロベンゾイルロイコメチレンブルー等、
【００３３】
（５）スピロ系化合物
３−メチルスピロジナフトピラン、３−エチルスピロジナフトピラン、３，３′−ジクロロスピロジナフトピラン、３−ベンジルスピロジナフトピラン、３−メチルナフト−（３−メトキシベンゾ）スピロピラン、３−プロピルスピロベンゾピラン等、を挙げることができ、これらは単独もしくは２つ以上混合して使うことができる。
【００３４】
また感熱記録層に用いられるバインダーとしては、デンプン類、ヒドロキシエチルセルロース、メチルセルロース、カルボキシメチルセルロース、ゼラチン、カゼイン、ポリビニルアルコール、変性ポリビニルアルコール、ポリアクリル酸ソーダ、アクリル酸アミド−アクリル酸エステル共重合体、アクリル酸アミド−アクリル酸エステル−メタクリル酸３元共重合体等のアクリル樹脂、スチレン−無水マレイン酸共重合体のアルカリ塩、エチレン−無水マレイン酸共重合体のアルカリ塩等の水溶性接着剤、ポリ酢酸ビニル、ポリウレタン、ポリアクリル酸エステル、スチレン−ブタジエン共重合体、アクリロニトリル−ブタジエン共重合体、アクリル酸メチル−ブタジエン共重合体、エチレン−酢酸ビニル共重合体等のラテックスなどがあげられる。
【００３５】
さらに感度を更に向上させるための添加剤として、熱可融性物質を感熱記録層中に含有させることができる。この熱可融性物質としては、６０℃〜２００℃の融点を持つ化合物が好ましく、特に８０℃〜１８０℃の融点を持つ化合物が好ましい。これらの化合物としては、Ｎ−ヒドロキシメチルステアリン酸アミド、ステアリン酸アミド、パルミチン酸アミドなどのワックス類、２−ベンジルオキシナフタレン等のナフトール誘導体、ｐ−ベンジルビフェニル、４−アリルオキシビフェニル等のビフェニル誘導体、１，２−ビス（３−メチルフェノキシ）エタン、２，２′−ビス（４−メトキシフェノキシ）ジエチルエーテル、ビス（４−メトキシフェニル）エーテル等のポリエーテル化合物、炭酸ジフェニル、シュウ酸ジベンジル、シュウ酸ビス（ｐ−メチルベンジル）エステル等の炭酸またはシュウ酸ジエステル誘導体等が挙げられる。またこれらを２種類以上、併用して添加することができる。
【００３６】
ステッキング防止のために、ケイソウ土、タルク、カオリン、焼成カオリン、炭酸カルシウム、炭酸マグネシウム、酸化チタン、酸化亜鉛、酸化ケイ素、水酸化アルミニウム、尿素−ホルマリン樹脂等の顔料類、ステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類、等を使用することが出来る。
【００３７】
さらに本発明の感熱記録層には、必要に応じて潤滑剤、研磨剤、レベリング剤、消泡剤、増粘剤、酸化防止剤、紫外線吸収剤、帯電防止剤、防腐剤、填料等の添加剤を適宜使用することが出来る。
【００３８】
本発明の情報記録媒体の層構成は、「個別情報」を有した支持体上に、発色していない状態では該「個別情報」を隠蔽しない感熱記録層を設け、かつ支持体の感熱記録層とは反対の側に磁気記録可能な磁性層を設けたものであるが、支持体と磁気記録層との間、支持体と感熱記録層の間に、接着性、耐久性、断熱性等の目的で下引き層を設けても良い。また、磁気記録層、感熱記録層の上には、耐摩耗性、耐薬品性、耐久性等の目的に応じて保護層を設けてもかまわない。また、下引き層、保護層は２層ないしは３層以上の複数の層から構成されていてもよい。
【００３９】
以下、本発明の実施例に付いて図面を参照して詳細に説明するが、本発明はこの形態に何等限定されるものではない。
【００４０】
実施例１
図１は本発明の情報記録媒体をプリペイドカードに応用した１例であって、その断面の層構成を示した図である。実施例１のプリペイドカードは「個別情報」として使用される、蛍光繊維によって形成されるランダムパターンを「真偽判定情報」として保持した支持体１に磁気記録層２、感熱記録層３、保護層４、印刷層５の順に形成されている。次にこれらの構成要素の具体的な作製方法に付いて述べる。
【００４１】
（Ａ）支持体
フリーネス４００mlに叩解した広葉樹漂白パルプ１００ｇを２％濃度スラリーに調整した。このスラリーを撹拌しながら、これに蛍光染料（ジアミノスチルベンジスルホン）により染着された広葉樹漂白パルプ１gを加え、更に撹拌を続けた。このパルプを用いて、常法通り坪料１５０g／m2となるように抄紙し、１０５℃で乾燥して、蛍光染料で染着されたパルプを１％含有したシートを得た。このシートは、通常の太陽光下では該シート自体の地肌である白色として認識されるだけであったが、ブラックライトによる紫外線照射下では、染着された該パルプによるランダムパターンの蛍光模様を識別できた。
【００４２】
（Ｂ）磁気記録層
磁性体（戸田工業（株）製  バリウムフェライト  「ＭＣ１２７」）１００部
水                                                            １０６部
分散剤（ポリアクリル酸ナトリウム水溶液）                          ５部
上記組成物をペイントコンディショナーを用いて４時間分散し、予備分散液を調整した。次にこの予備分散液に対し、以下の組成物を添加した後スリーワンモーターで１時間攪拌し磁性塗液を得た。
スチレンブタジエン共重合体（旭化成（株）製、ＤＬ−６２０）      ４０部
２％カルボキシメチルセルロース水溶液                            ６０部
この磁性塗液を（Ａ）で作成した支持体に、１０μｍの厚みに塗工した。また塗工直後に２０００Ｇの配向磁場をかけ、磁性粒子を配向させた。
【００４３】
（Ｃ）感熱記録層
0003722560.tif 000002
Ｃ１液をダイノミル（シンマルエンタープライゼス製）を用いて体積平均径０．５μｍに粉砕した。
【００４４】
0003722560.tif 000003
Ｃ２液をダイノミル（シンマルエンタープライゼス製）を用いて体積平均径１．０μｍに粉砕した。
上記２種の分散液を混合した後、攪拌下に下記のものを添加、よく混合し、感熱塗液を作製した。
0003722560.tif 000004
【００４５】
上記感熱塗液を（Ａ）で作製した支持体の磁気記録層と反対の面に、膜厚３μｍとなる様に塗工し、乾燥して感熱記録層を作製した。この感熱記録層は、発色していない状態では支持体の蛍光パターンを隠蔽することはなく、感熱記録層を設けた後でも、ブラックランプからの光を照射することによって、その蛍光パターンを観察することが出来た。
【００４６】
（Ｄ）保護層
１０％ポリビニルアルコール                                    １００部
１０％炭酸ジルコニウムアンモニウム水溶液                        １０部
上記組成物を攪拌調整し、（Ｃ）で作製した感熱記録層上に、膜厚１μｍとなる様に塗工し、乾燥して保護層を作製した。
【００４７】
（Ｅ）印刷層
最後に（Ｄ）で作成した保護層の上部でかつ「価値情報」の印字領域以外について、市販のオフセットインキ（大日本インキ化学工業製トランスＧノーマル）を用いて印刷層を形成した。
【００４８】
図２は、上記方法で作成したプリペイドカードを、感熱記録層の側から見た図である。なおこの図は、未使用のプリペイドカードを示しており、感熱記録層には何ら印字されていない。さらに、この図は、通常の太陽光の下でカードを観察したものであって、支持体上に存在する蛍光繊維のランダムパターンは見えていない。一方、図３は図２のプリペイドカードを、ブラックランプからの紫外線照射下で、同プリペイドカードを観察した図で、今度は蛍光繊維によるランダムパターンが見えている。
【００４９】
図４は、途中まで使用したプリペイドカードを通常の太陽光の下で観察した図であり、使用した度数に応じて感熱記録層に所定の印（黒く塗りつぶされた正方形）が印字されている。図４の場合は、プリペイドカードの３５％がすでに使用されたことが分かる。
【００５０】
図５は、図４のプリペイドカードを、ブラックランプからの紫外線照射下で、観察した図で、感熱記録層に印字されたパターンに重なって、蛍光繊維によるランダムパターンが見えている。本プリペイドカードを使用したシステムでは、感熱記録層の未印字の領域での蛍光パターンが妥当なものであるかどうかを、磁気記録層に記録された「参照情報」と比較することによって、判定することが出来る。
【００５１】
図６は、使用済みのプリペイドカードを、太陽光の下で観察した図であり、感熱記録層の全面が所定の印で覆われている。このカードを、ブラックランプからの紫外線照射下で観察すると、図７の様に印字パターンが蛍光パターンにオーバーラップしているのが分かる。
【００５２】
本プリペイドカードを使用したシステムでは、感熱記録層にすでに印字されている所定の印の数を数えることによって、プリペイドカードが保持している金額を判断するので、もし図６の様な使用済みのプリペイドカードを不正に改ざんし、もう一度使おうとした場合、印字されたパターンを全て消去しなくてはいけない。しかしながら、この感熱印字部は書き換え不可能なもので、印字を消去するためには、感熱記録層を何らかの方法で隠蔽するか、感熱記録層ごと剥離するしかない。前者の場合は、印字パターンと同時に、蛍光繊維のパターンを隠蔽することになり、磁気記録層の「参照情報」に適合する「鍵情報」を生成することは出来なくなる。また、後者の場合であっても、感熱記録層の剥離に伴い支持体表面の少なくとも一部の破壊が起こり、同様に正しい「鍵情報」を生成することは不可能である。更に、正規の蛍光繊維のパターンから「参照情報」を生成するアルゴリズムは秘密であり、正規のプリペイドカードとして認識されうるように磁気データを変更するのは不可能なため、「偽造」する事も出来ない。
【００５３】
【発明の効果】
本発明によって、情報記録媒体一つ一つに別々の「個別情報」として使用されるランダムパターンよりなる「真偽判定情報」と、書き換え不可能な方法によって記録された「価値情報」を保持し、さらに「価値情報」の変化の履歴が「真偽判定情報」と関係づけられている、非常にセキュリティー性の高い情報記録媒体を実現することが出来た。
【図面の簡単な説明】
【図１】本発明の情報記録媒体を利用したプリペイドカードの１例の断面図。
【図２】通常の太陽光の下で感熱記録層の側から観察した、未使用のプリペイドカードの平面図。
【図３】ブラックランプからの紫外線照射下で観察した、図２のプリペイドカードの平面図。
【図４】通常の太陽光の下で感熱記録層側から観察した、度数の３５％がすでに使用されたプリペイドカードの平面図。
【図５】ブラックランプからの紫外線照射下で観察した、図４のプリペイドカードの平面図。
【図６】通常の太陽光の下で感熱記録層側から観察した、使用済みのプリペイドカードの平面図。
【図７】ブラックランプからの紫外線照射下で観察した、図６のプリペイドカードの平面図。
【符号の説明】
１  支持体
２  磁気記録層
３  感熱記録層
４  保護層
５  印刷層
【図１】
0003722560.tif 000005
【図２】
0003722560.tif 000006
【図３】
0003722560.tif 000007
【図４】
0003722560.tif 000008
【図５】
0003722560.tif 000009
【図６】
0003722560.tif 000010
【図７】
0003722560.tif 000011